(57)【要約】【課題】小型軽量で製造や取扱いが容易な動力発生装置を提供すること。【解決手段】本発明では、動力発生装置において、偏芯荷重を有する第１及び第２の回転体を回転中心をずらして垂直回転自在かつ互いに平行に配置するとともに、第１及び第２の回転体それぞれに係合体を係脱自在に設け、回転途中において第１及び第２の回転体が係合体を介して係合することで一方の回転体の慣性力を利用して他方の回転体を上死点まで回転させ、第１又は第２の回転体の回転軸から動力を取出すことにした。また、前記第１及び第２の回転体の回転軸のいずれか一方の回転軸を中空状に形成するとともに、その中空部に他方の回転軸を挿通させることにした。【選択図】図１
2010196495.tif 000002
【特許請求の範囲】
【請求項１】
偏芯荷重を有する第１及び第２の回転体を回転中心をずらして垂直回転自在かつ互いに平行に配置するとともに、第１及び第２の回転体それぞれに係合体を係脱自在に設け、回転途中において第１及び第２の回転体が係合体を介して係合することで一方の回転体の慣性力を利用して他方の回転体を上死点まで回転させ、第１又は第２の回転体の回転軸から動力を取出すことを特徴とする動力発生装置。
【請求項２】
前記第１及び第２の回転体の回転軸のいずれか一方の回転軸を中空状に形成するとともに、その中空部に他方の回転軸を挿通させたことを特徴とする請求項１に記載の動力発生装置。
【発明の詳細な説明】
【技術分野】
【０００１】
本発明は、動力発生装置に関するものである。
【背景技術】
【０００２】
従来より、動力発生装置においては、動力出力軸に偏芯荷重を有するフライホイールを取付けた構造となっている（たとえば、特許文献１参照。）。
【０００３】
この従来の動力発生装置では、動力出力軸の回転に連動してフライホイールが回転し、このフライホイールの回転によってフライホイールの偏芯荷重に応じた遠心力が動力出力軸に作用し、動力出力軸がフライホイールの遠心力の作用により回転するように構成している。
【先行技術文献】
【特許文献】
【０００４】
【特許文献１】特開２００５−１５５７２５号公報
【発明の概要】
【発明が解決しようとする課題】
【０００５】
ところが、上記従来の動力発生装置では、動力出力軸に取付けたフライホイールの偏芯荷重に応じた遠心力が作用することになるために、動力出力軸の回転をより一層円滑に行わせるためには、フライホイールの偏芯荷重を増大させなければならず、装置全体が大型化や重量化してしまい、製造や取扱いが困難なものとなってしまうおそれがあった。
【課題を解決するための手段】
【０００６】
そこで、請求項１に係る本発明では、動力発生装置において、偏芯荷重を有する第１及び第２の回転体を回転中心をずらして垂直回転自在かつ互いに平行に配置するとともに、第１及び第２の回転体それぞれに係合体を係脱自在に設け、回転途中において第１及び第２の回転体が係合体を介して係合することで一方の回転体の慣性力を利用して他方の回転体を上死点まで回転させ、第１又は第２の回転体の回転軸から動力を取出すことにした。
【０００７】
また、請求項２に係る本発明では、前記請求項１に係る本発明において、前記第１及び第２の回転体の回転軸のいずれか一方の回転軸を中空状に形成するとともに、その中空部に他方の回転軸を挿通させることにした。
【発明の効果】
【０００８】
そして、本発明では、以下に記載する効果を奏する。
【０００９】
すなわち、本発明では、動力発生装置において、偏芯荷重を有する第１及び第２の回転体を回転中心をずらして垂直回転自在かつ互いに平行に配置するとともに、第１及び第２の回転体それぞれに係合体を係脱自在に設け、回転途中において第１及び第２の回転体が係合体を介して係合することで一方の回転体の慣性力を利用して他方の回転体を上死点まで回転させ、第１又は第２の回転体の回転軸から動力を取出すことにしているために、小型軽量で製造や取扱いが容易な動力発生装置とすることができる。
【００１０】
特に、第１及び第２の回転体の回転軸のいずれか一方の回転軸を中空状に形成するとともに、その中空部に他方の回転軸を挿通させることにした場合には、第１及び第２の回転体の正面側及び背面側のいずれ側からも動力を取出すことができ、より一層取扱いが容易な動力発生装置とすることができる。
【図面の簡単な説明】
【００１１】
【図１】本発明に係る動力発生装置を示す正面図。
【図２】同背面図。
【図３】同側面図。
【図４】同側面断面図。
【図５】同動作説明図。
【発明を実施するための形態】
【００１２】
以下に、本発明に係る動力発生装置の具体的な構成について図面を参照しながら説明する。
【００１３】
図１〜図４に示すように、動力発生装置１は、基台２の上部に第１の支持体３と第２の支持体４とを前後に間隔をあけて垂直かつ互いに平行に取付けている。
【００１４】
そして、第１の支持体３には、上部に軸受５を取付け、軸受５に第１の回転軸６を回転軸線を水平にして回転自在に挿通し、第１の回転軸６に円板状の第１の回転体７を第１の支持体３よりも後方側に取付けている。なお、ここでは、第１の回転軸６を軸受５で片持ち支持しているが、両持ち支持するようにしてもよい。
【００１５】
第１の回転体７は、回転中心となる第１の回転軸６から偏芯した位置に錘８が内蔵されており、偏芯荷重を有した構造となっている。なお、錘８の位置や重量は第１の回転体７に要求される回転モーメントに応じて適宜設定するようにしている。
【００１６】
また、第１の回転体７は、外周部に２個の突起状の係合体９を半径方向に向けて取付けている。なお、係合体９の長さや個数や位置は適宜設定するようにしている。
【００１７】
このようにして、第１の回転体７は、第１の支持体３の軸受５で第１の回転軸６を回転自在に軸支されており、垂直面上で回転することができるようになっている。
【００１８】
一方、第２の支持体４には、上部に軸受10を軸受５とは中心位置をずらした位置に取付け、軸受10に中空状の第２の回転軸11を回転軸線を水平にして回転自在に挿通し、第２の回転軸11に円板状の第２の回転体12を第２の支持体４よりも前方側において第１の回転体７と平行に取付けており、第２の回転軸11の中空部に第１の回転軸６を挿通させている。なお、ここでは、第２の回転軸11を軸受10で片持ち支持しているが、両持ち支持するようにしてもよい。
【００１９】
第２の回転体12は、回転中心となる第２の回転軸11から偏芯した位置に錘13が内蔵されており、偏芯荷重を有した構造となっている。なお、錘13の位置や重量は第２の回転体12に要求される回転モーメントに応じて適宜設定するようにしている。
【００２０】
また、第２の回転体12は、外縁部に８個の突起状の係合体14を前方に向けて取付けている。なお、係合体14の長さや個数や位置は適宜設定するようにしている。
【００２１】
このようにして、第２の回転体12は、第２の支持体４の軸受10で第２の回転軸11を回転自在に軸支されており、垂直面上で回転することができるようになっている。
【００２２】
また、第１及び第２の回転体7,12は、回転中心をずらして垂直回転自在かつ互いに平行に配置されている。
【００２３】
そして、動力発生装置１は、第１及び第２の回転体7,12が回転している間に第１の回転体７に設けたいずれかの係合体９と第２の回転体12に設けたいずれかの係合体14とが互いに係合し或いは離脱するようにしている。すなわち、図１において、第１の回転体７に設けた係合体９の先端部の軌跡が一点鎖線で現され、第２の回転体12に設けた係合体14の軌跡が二点鎖線で現され、一点鎖線で現された第１の回転体７に設けた係合体９の先端部の軌跡が二点鎖線で現された第２の回転体12に設けた係合体14の軌跡よりも外側になる部分では、第１の回転体７に設けたいずれかの係合体９と第２の回転体12に設けたいずれかの係合体14とが互いに係合した状態となり、一方、一点鎖線で現された第１の回転体７に設けた係合体９の先端部の軌跡が二点鎖線で現された第２の回転体12に設けた係合体14の軌跡よりも内側になる部分では、第１の回転体７に設けたいずれの係合体９も第２の回転体12に設けたいずれの係合体14に係合せずに離脱した状態となる。
【００２４】
これにより、動力発生装置１は、図５に示すように、第１及び第２の回転体7,12を錘8,13が上端部に位置する状態で制止し（図５(a)参照。）、その後、第１及び第２の回転体7,12を反時計回り（右方向）に回転させると（図５(b)参照。）、第２の回転体12が上死点よりも手前で停止してしまっても第１の回転体７に設けた係合体９と第２の回転体12に設けた係合体14とが係合し（図５(c)参照。）、第１及び第２の回転体7,12が係合体9,14を介して係合することで第１の回転体７の慣性力で第２の回転体12を上死点を越える位置まで回転させることができ（図５(d)参照。）、その後、第１の回転体７が上死点よりも手前で停止してしまっても第１の回転体７に設けた係合体９と第２の回転体12に設けた係合体14とが係合し（図５(e)参照。）、第１及び第２の回転体7,12が係合体9,14を介して係合することで第２の回転体12の慣性力で第１の回転体７を上死点を越える位置まで回転させることができる（図５(ｆ)参照。）。
【００２５】
このようにして、動力発生装置１は、第１及び第２の回転体7,12を機械損消によって停止するまで連続的に回転させることができ、第１又は第２の回転軸6,11から動力を取出すことができる。
【００２６】
以上に説明したように、上記動力発生装置１では、偏芯荷重を有する第１及び第２の回転体7,12を回転中心をずらして垂直回転自在かつ互いに平行に配置するとともに、第１及び第２の回転体7,12それぞれに係合体9,14を係脱自在に設け、回転途中において第１及び第２の回転体7,12が係合体9,14を介して係合することで一方の回転体7(12)の慣性力を利用して他方の回転体12(7)を上死点まで回転させ、第１又は第２の回転体7,12の回転軸6,11から動力を取出すことにしている。
【００２７】
そのため、上記構成の動力発生装置１では、小型軽量で製造や取扱いが容易な動力発生装置１とすることができる。
【００２８】
また、上記動力発生装置１では、第２の回転軸11を中空状に形成するとともに、その中空部に第１の回転軸６を挿通させている。なお、第１の回転軸６を中空状に形成するとともに、その中空部に第２の回転軸11を挿通させるようにしてもよい。
【００２９】
そのため、上記構成の動力発生装置１では、第１及び第２の回転体7,12の正面側及び背面側のいずれ側からも動力を取出すことができ、より一層取扱いが容易な動力発生装置１とすることができる。
【符号の説明】
【００３０】
１  動力発生装置
２  基台
3,4  支持体
5,10  軸受
6,11  回転軸
7,12  回転体
8,13  錘
9,14  係合体
【図１】
2010196495.tif 000003
【図２】
2010196495.tif 000004
【図３】
2010196495.tif 000005
【図４】
2010196495.tif 000006
【図５】
2010196495.tif 000007